(57)【特許請求の範囲】
【請求項１】
通風乾燥部を通過した穀物を穀物タンク部へ還流する投入部に設けた穀物分散装置であって、駆動軸によって回転可能に垂設された分散盤の周縁部に、該分散盤の回転による穀物の放射状の移動を規制する複数のせき止め部材を連続状に設けるとともに、前記分散盤に穀物の一部を落下させる開口部を設け、前記せき止め部材は、水平状の誘導板と、この誘導板に対して垂直に設けた規制板とからなり、該規制板が該分散盤の回転方向前方に向いて開くように、該誘導板における回転方向後側端部を該分散板の周縁部に枢着し、さらに、前記規制板の高さを可変とすべく、該規制板を固定規制板と可動規制板とから形成したことを特徴とする穀物乾燥機における穀物分散装置。
【請求項２】
前記分散盤の開口部の開口度を可変とすべく、該分散盤に、該開口部とほぼ同一形状、かつ、同一位置に開口部を形成した開口調整板を当接してなる請求項１記載の穀物乾燥機における穀物分散装置。
【発明の詳細な説明】
【０００１】
【発明が属する技術分野】
本発明は、米麦などを対象にした穀物乾燥機に関し、特に、穀物乾燥機における穀物分散装置に関する。
【０００２】
【従来の技術】
穀物を貯留するタンク部、該タンク部内の穀物を順次乾燥する通風乾燥部、そして、該通風乾燥部を通過した穀物を前記タンク部に還流させるための昇降機などを備えた穀物乾燥機にあっては、通風乾燥部を通過した穀物を昇降機を介して前記タンク部に還流する際、できるだけ均平に投入することが乾燥むらを防止するために必要であり、そのため、回転式の穀物分散装置が種々提案されている。
【０００３】
かかる穀物分散装置で穀物をタンク部内に均平に投入するためには、昇降機によって揚送される穀物の一部が分散装置から直接タンク部内へ落下することなく、できるだけ全量近くを一たん分散装置で受け止めたうえ、該分散装置の遠心力によってタンク部に強制的に分散されることが望ましい。
【０００４】
ところで、例えば、特開昭５７−１４１３２６号記載の分散装置は、平たんな盤からなる基部から放射状に複数の穀粒拡散翼が延出して形成されており、該分散装置に供給される穀物は、隣り合う穀粒拡散翼の間の空間から直ちに落下してしまうものが少なくなく、かかる落下現象は供給される穀物流量が多いほど顕著であり、分散装置により効果的に分散させることができないという欠点があった。なお、前記穀粒拡散翼の回転数を上げれば落下する穀粒は減るが、穀粒の損傷が避けられないという問題が生ずる。
【０００５】
一方、例えば、特開平１１−２０１６４３号公報記載のように、タンク部へ供給される穀物を受け止めやすいすり鉢状の分散装置が提案されている。このものは、一応、該分散装置へ供給される穀物の流量が多くても直接穀層へ落下することはない。
【０００６】
【発明が解決しようとする課題】
しかしながら、前記したすり鉢状の分散装置の場合は、穀物の損傷を招来しない程度の回転数であれば、終了時に分散装置の底部に穀粒が残留するという問題があり、しかも、すり鉢状の傾斜面に沿って穀粒が投擲（てき）されるので、穀物がタンク部の壁寄りにたい積する傾向があり、均平に投入されにくいという問題点がある。
【０００７】
そこで、本発明は、分散装置へ供給される穀物を直接落下させることなくほぼ全量を一たん受け入れるとともに、タンク部に均平に投入することができ、かつ、穀物の残留が発生しない穀物乾燥機における穀物分散装置を提供することを技術的課題とする。
【０００８】
【課題を解決するための手段】
前記問題点を解決するため請求項１記載の発明は、イ．通風乾燥部を通過した穀物を穀物タンク部へ還流する投入部に設けた穀物分散装置であって、ロ．駆動軸によって回転可能に垂設された分散盤の周縁部に、該分散盤の回転による穀物の放射状の移動を規制する複数のせき止め部材を連続状に設けるとともに、ハ．前記分散盤に穀物の一部を落下させる開口部を設け、二．上記せき止め部材は、水平状の誘導板と、この誘導板に対して垂直に設けた規制板とからなり、該規制板が該分散板の回転方向前方に向いて開くように、該誘導板における回転方向後側端部を該分散盤の周縁部に枢着し、さらに、ホ．前記規制板の高さを可変とすべく、該規制板を固定規制板と可動規制板とから形成する、という技術的手段を講じたものである。これにより、該穀物分散装置に供給される穀物は、そのほとんどがせき止め部材によりせき止められて、開口部から直接落下するものの外は、タンク部内に直接落下するものが極めて少なく、該分散盤の回転による遠心力によってタンク部内に強制的に均等投入される。そして、前記せき止め部材は、水平状の誘導板と、この誘導板に対して垂直に設けた規制板とからなり、該規制板が該分散板の回転方向前方に向いて開くように、該誘導板における回転方向後側端部を該分散盤の周縁部に枢着したものであり、これにより、分散盤上の穀物が規制板に沿って誘導板の端部から放出され、分散盤上の残留が防止される。また、前記規制板の高さを可変とすべく、該規制板を固定規制板と可動規制板とから形成するので、穀物の性状や流量の違いにより規制板の高さを変更することにより、分散盤上の穀物の滞留状態の調節が可能となる。
【０００９】
【００１０】
請求項２記載の発明は、前記分散盤の開口部の開口度を可変とすべく、該分散盤に、該開口部とほぼ同一形状、かつ、同一位置に開口部を形成した開口調整板を当接したものであり、これにより、分散盤から直接落下する穀物量を調整してタンク部中央付近の均平度を図ることができる。
【0011】
【発明の実施の形態】
図１は、本発明の実施例に係る穀物分散装置を示す要部拡大平面図であり、図２は、同一部破断の正面図である。また、図３は、本穀物分散装置を穀物乾燥機に実施した場合の全体正面図である。図１において、符号１は穀物乾燥機の全体を示し、該穀物乾燥機１はタンク部２とその下方に形成した通風乾燥部３とからなり、これらの一側には昇降機４が付設され、通風乾燥部３を通過した穀物を該昇降機４により揚送し、シュートパイプ５及び穀物分散装置６を介して前記タンク部２内に還流するように構成されている。
【００１２】
次に、図１及び図２に基づき前記穀物分散装置６について詳述する。平面視正六角形状の分散盤７の中心部を、モーター８に直結した駆動軸９下端の取着板１０によって固着し、前記モーター８を該タンク部２の天板１１中央部に固定する。これにより、分散盤７が駆動軸９によって回転自在に垂設される。該分散盤７の六つの各辺にはせき止め部材１２が連続状に装着される。該せき止め部材１２は、平面視扇状の誘導板１３の要に該当する部位をピン１４により分散盤７の各辺の回転方向後端部の縁部にそれぞれ枢着し、各辺側の円弧の一方端部は、該辺の回転方向前端部に設けたスリット１５に挿通したボルト・ナット１６により固着する。また、前記要と前記円弧の他方端に沿って規制板１７が垂直状に設けられる。該規制板１７は、固定規制板１７ａと可動規制板１７ｂとからなり、可動規制板１７ｂに設けた一対のスリット１８と、これに係合するボルト・ナット１９により固定規制板１７ａに可動規制板１７を摺動可能に添着してある。これにより、可動規制板１７ｂを上下動させて規制板１７の高さを調節できるとともに、スリット１５により誘導板１３を水平状に回動させて、該規制板１７が分散盤７の回転方向前方に向いて開く角度を可変できることになる。
【００１３】
さらに、分散盤７には、中心から等距離に、かつ、互いに等間隔に四つのほぼ楕円の固定開口部２０が設けられ、一方、分散盤７の裏面には、前記固定開口部２０と同一形状で同一位置に可動開口部２１を設けたドーナツ状の開口調整板２２が回動可能に装着される。すなわち、分散盤７側から挿通したボルト２３と開口調節板２２に形成した弧状のスリット２４とを係合させるとともにナット２５で螺（ら）着して開口調整板２２を分散盤７の裏面に当接させ、前記ナット２５を緩めて把手（とって）２６で開口調整板２２を回動させて開口度の調整を行うよう形成される。
【００１４】
そして、前記モーター８に近接して天板１１に投入ボックス２７を設ける。該ボックス２７内の天板１１には投入口２８が設けられるとともに、上部は昇降機４の吐出口から延出するシュートパイプ２９の下端を接続する。また、投入ボックス２７内には横軸３０によって回動可能に案内シュート３１が設けられるとともに、この案内シュート３１の裏面に当接して傾斜角度を変更可能としたアジャストボルト３２を設ける。なお、該案内シュート３１に対向してホッパー形状に固定規制板３３を設けてもよい。また、本実施例においては分散盤７を正六角形としたが、これに限られるものではなく、その他の多角形又は円形でもよい。
【００１５】
以下、上記実施例における具体的作動について説明する。通風乾燥部３を通過した穀物、例えば籾（もみ）米は、昇降機４によって揚送されるとともに、シュートパイプ５から投入ボックス２７内に投入され、案内板３３及び案内シュート３１によって穀物分散装置６に供給される。該穀物分散装置６は、モーター８により毎分約９０回転しており、案内シュート３１から流下する籾米は、アジャストボルト３２により分散盤７のほぼ中央部に落下するよう調整される。
【００１６】
分散盤７の周縁部にはせき止め部材１２が連続状に設けられており、その規制板１７により籾米は直ちに落下することはなく、一たん、分散盤７上に受け止められた後、回転する穀物分散装置６の遠心力により、せき止め部材１２の誘導板１３側に移動するとともに規制板１７によって飛散されたり、隣り合うせき止め部材１２の間や規制板１７の上縁から放出されたり、あるいは、分散盤７に設けた開口部から下方に落下したりして四方八方に分散され、結果としてタンク部２内に均等に投入されることになる。この際、シュートパイプ２９から供給される籾米の量や性状に応じて、供給されてくる籾米のほとんどが分散盤７上に一たん受け入れられるよう、また、分散盤７上に残留が生じないよう、タンク部２内の均平状態を確認しながら、各規制板１７の角度若しくは高さ又は分散盤７裏面の開口調整板２２を調節する。
【００１７】
【発明の効果】
以上述べたように本発明によれば、分散盤の周縁部に複数のせき止め部材を連続状に設けたので、供給される穀物を一たん分散盤で受け止めたうえで、該分散盤により強制的に方向つけられた放出が行われることになり、従来のように、直接、穀層上に落下する穀物が多い場合に比して均平度が格段に向上する。この効果は、供給流量が増加するほど顕著に表れ、例えば、従来であれば毎時３０トンの流量になると、ほとんどの穀物が直接落下して分散機能が低下するのに対し、本発明においては、ほとんどの穀物を分散盤で受け止めて効果的に分散作用を奏するものである。
また、規制板を、分散盤の回転方向前方に向いて開いて設けたので、ここから穀物が放出され、分散盤上に穀物が残留しない。
さらに、規制板の角度及び高さの調整を可能にしたので、供給流量の増減に応じてこれらを調整し、最適な分散状態を容易に実現できる。加えて、分散盤に、穀物の一部を落下させる開口を設けるとともに、この開口度を調整可能としたので、タンクの中央部にも穀物が適宜に堆積され得る。
【図面の簡単な説明】
【図１】  本発明の実施例に係る穀物分散装置を示す要部拡大平面図である。
【図２】  同一部破断の正面図である。
【図３】  本穀物分散装置を穀物乾燥機に実施した場合の全体正面図である。
【符号の説明】
１ 穀物乾燥機
２ タンク部
３ 通風乾燥部
４ 昇降機
５ シュートパイプ
６ 穀物分散装置
７ 分散盤
８ モーター
９ 駆動軸
１０ 取着板
１１ 天板
１２ せき止め部材
１３ 誘導板
１４ ピン
１５ スリット
１６ ボルト・ナット
１７ 規制板
１８ スリット
１９ ボルト・ナット
２０ 固定開口部
２１ 可動開口部
２２ 開口調整板
２３ ボルト
２４ スリット
２５ ナット
２６ 把手
２７ 投入ボックス
２８ 投入口
２９ シュートパイプ
３０ 横軸
３１ 案内シュート
３２ アジャストボルト
３３ 固定案内板
【図１】
0004748437.tif 000002
【図２】
0004748437.tif 000003
【図３】
0004748437.tif 000004